(57)【要約】      （修正有）【課題】排便した便に付いた血液や便に混じった血液を見逃してしまうおそれを低くすることができる検便用受け皿を提供する。【解決手段】便器本体の内部に配設される検便用受け皿１０のネット便受け皿体１２には、ネット１４が平面視楕円形状に形成され、伸縮可能な便受け皿体保持体１８が間隔を置いて２本設けられている。便受け皿体保持体１８の下端部にはリング状に折り曲げて形成された連結部２０が設けられ、上端部には鉤状に折り曲げて形成された便器係止部２２が設けられている。【選択図】図１
0003197608.tif 000002
【実用新案登録請求の範囲】
【請求項１】
便器の便器本体の内部に配設されると共に排便された便を受け止めるネット便受け皿体と、このネット便受け皿体に取り付けられると共に伸縮可能な便受け皿体保持体と、この便受け皿体保持体の上端部に形成された便器係止部と、を有してなることを特徴とする検便用受け皿。
【請求項２】
便器の便器本体の内部に配設されると共に排便された便を受け止めるネット便受け皿体と、このネット便受け皿体に取り付けられると共に伸縮可能な複数の便受け皿体保持体と、これら便受け皿体保持体の上端部に形成された便器係止部と、前記便受け皿体保持体に取り付けられると共に前記ネット便受け皿体を照らすことができる照明体と、を有してなることを特徴とする検便用受け皿。
【請求項３】
前記ネット便受け皿体を前記便受け皿体保持体に対して揺動可能に取り付けたことを特徴とする請求項１、請求項２のいずれか１項に記載した検便用受け皿。
【考案の詳細な説明】
【技術分野】
【０００１】
本考案は、洋式便器に着脱可能に設けられて便を観察することができる検便用受け皿に関する。
【背景技術】
【０００２】
近年、我国では大腸癌の患者が増大しているが、大腸癌の治療には大腸癌の早期発見が極めて大切である。
そこで、医療機関では大腸癌を発見する手段として大腸癌検査を行う者に対して検便を勧めており、検便を行うために便を採取する種々の大便採取用具が提案されている（特許文献１）。
ところで、大腸癌の早期発見は医療機関の行う検便だけでなく、家庭等でも排便時に便を観察して便に血液が付いているか、便に血液が混じっているか等の便を観察することが大切である。
しかし、排便すると便は便器本体の底部に滞留している洗浄水内に落ちてしまうため、便の状態を良く観察できない場合がある。
また、大腸癌は加齢に伴ない発生率が高くなる傾向があるが、加齢により視力が落ちるため便に血液が付いたり便に血液が混じっていることを見逃してしまう場合がある。
さらに、一般的にトイレの照明は照度が低く設定されている場合が多く、便に付いた血液や便に混じった血液が少量であると見逃してしまうおそれがある。
【先行技術文献】
【特許文献】
【０００３】
【特許文献１】実開平６−４００７５号公報
【考案の概要】
【考案が解決しようとする課題】
【０００４】
本考案は、上記事実に鑑みなされたものであり、家庭等で便の状態をよく観察できると共に排便した便に付いた血液や便に混じった血液を見逃してしまうおそれを低くすることができる検便用受け皿を提供するものである。
【課題を解決するための手段】
【０００５】
請求項１の考案は、便器の便器本体の内部に配設されると共に排便された便を受け止めるネット便受け皿体と、このネット便受け皿体に取り付けられると共に伸縮可能な便受け皿体保持体と、この便受け皿体保持体の上端部に形成された便器係止部と、を有してなることを特徴としている。
請求項２の考案は、便器の便器本体の内部に配設されると共に排便された便を受け止めるネット便受け皿体と、このネット便受け皿体に取り付けられると共に伸縮可能な複数の便受け皿体保持体と、これら便受け皿体保持体の上端部に形成された便器係止部と、前記便受け皿体保持体に取り付けられると共に前記ネット便受け皿体を照らすことができる照明体と、を有してなることを特徴としている。
請求項３の考案は、前記ネット便受け皿体を前記便受け皿体保持体に対して揺動可能に取り付けたことを特徴としている。
【考案の効果】
【０００６】
本考案は、排便時にネット便受け皿体が便を受け止めるため便は便器本体の底部まで落下しないので、便を良く観察することができるという優れた効果を有する。
本考案は、ネット便受け皿体はネットで形成されているので便器本体に流れる洗浄水を利用してネット便受け皿体の上に位置している便を洗い流すことができるという優れた効果を有する。
請求項２の考案は、上記優れた効果の他に照明体を取り付けたので便をさらに良く観察することができるという優れた効果を有する。
請求項３の考案は、上記優れた効果の他にネット便受け皿体が洗浄水の水圧により揺動するので便器本体に流れる洗浄水で効果的にネット便受け皿体を洗浄することができるという優れた効果を有する。
【図面の簡単な説明】
【０００７】
【図１】第１実施例の検便用受け皿の全体斜視図である。
【図２】第１実施例の検便用受け皿の側面図である。
【図３】第１実施例の検便用受け皿の使用状態を示す全体斜視図である。
【図４】第１実施例の検便用受け皿の使用状態を示す全体斜視図である。
【図５】第２実施例の検便用受け皿の全体斜視図である。
【考案を実施するための形態】
【０００８】
考案を実施するために最良の形態の例として以下のような実施例を示す。
【実施例１】
【０００９】
図１〜図４には本考案に係る検便用受け皿１０の第１実施例が示されている。
【００１０】
図１に示されるように、検便用受け皿１０のネット便受け皿体１２は金属製のネット１４を平面視楕円形状にカットして形成されている。
【００１１】
また、このネット便受け皿体１２は図３及び図４に示されるように便器１の便器本体２の内部に配設できる大きさに形成されている。
【００１２】
図２に示されるように、前記ネット便受け皿体１２の中央部１２Ａは周縁部１２Ｂよりも少し窪んで形成されて、便（図示せず）を受け止め易くしている。
【００１３】
また、図１及び図２に示されるように、前記ネット便受け皿体１２の外周部１２Ｃには合成樹脂製の縁取体１６が設けられている。
【００１４】
図１に示されるように、前記ネット便受け皿体１２には可撓性材料で長尺状に形成された便受け皿体保持体１８，１８が間隔を置いて２本設けられている。
これら便受け皿体保持体１８は筒状の第１保持体部１８Ａと、この第１保持体部１８Ａに収容可能であると共に便受け皿体保持体１８の長手方向（図２矢印Ａ方向）に向かってスライドして伸縮可能な第２保持体部１８Ｂから構成されている。
この実施例では前記便受け皿体保持体１８，１８は明るい色である赤色にコーティングされている。
【００１５】
これら便受け皿体保持体１８，１８は前記ネット便受け皿体１２が便器本体２の底に落ちるのを防止するものであり、ネット便受け皿体１２が便器本体２の下部に滞留している洗浄水の水面よりも上方に位置する長さに調節されている。
【００１６】
図２に示されるように、便受け皿体保持体１８の下端部には便受け皿体保持体１８の第１保持体部１８Ａの下部をリング状に折り曲げて形成された連結部２０が設けられている。この連結部２０は前記ネット１４に係止され、これにより便受け皿体保持体１８，１８は前記ネット便受け皿体１２に取り付けられている。
【００１７】
また、前記ネット便受け皿体１２は前記便受け皿体保持体１８の連結部２０を介して便受け皿体保持体１８，１８に対して図２矢印Ｂ方向に揺動可能に取り付けられている。
【００１８】
前記便受け皿体保持体１８の第２保持体部１８Ｂは上部を鉤状に折り曲げて形成された便器係止部２２が設けられている。
【００１９】
この便器係止部２２は図３に示されるように便器１の便器本体２に係止したり、図４に示されるように便器１の便座３に係止できるようになっている。
【００２０】
次に、前記第１実施例の検便用受け皿１０の作用を説明する。
【００２１】
検便用受け皿１０を便器１に取り付ける場合は便受け皿体保持体１８，１８の便器係止部２２を図３に示されるように便器１の便器本体２に係止することにより、検便用受け皿１０を便器１に取り付ける。
【００２２】
この場合、ネット便受け皿体１２は便器本体２の下部に滞留している洗浄水の水面よりも上方に位置させる。
なお、前記便受け皿体保持体１８の第２保持体部１８Ｂは、第１保持体部１８Ａに対してスライドして伸縮可能であるので便受け皿体保持体１８の長さを容易に調節することができる。
【００２３】
そして、便座３を下ろして排便すると便はネット便受け皿体１２で受け止められるため、便は便器本体２の底に落ちない。
【００２４】
従って、便はネット便受け皿体１２の上にあるので便の状態が見易く、便に血液が付いているか、便に血液が混じっているか等を容易に観察することができる。
【００２５】
この結果、検便用受け皿１０を使用することにより、大腸癌等の早期発見に努めることができる。
【００２６】
便の観察が終わった後に便器１の洗浄ボタン（図示せず）を押して、便器本体２に洗浄水を流すと洗浄水は勢いよくネット便受け皿体１２に当たる。
しかし、前記ネット便受け皿体１２はネット１４で形成されているので、ネット便受け皿体１２に水洗水が勢いよく当たってもネット便受け皿体１２は水洗水に強く押圧されることがないと共にネット便受け皿体１２の上の便を洗い流すことができる。
【００２７】
また、洗浄水を流すと前記ネット便受け皿体１２は洗浄水の水圧で便受け皿体保持体１８，１８に対して図２矢印方向に揺動するので、ネット便受け皿体１２上にある便を効果的に流すことができると共にネット便受け皿体１２を効果的に洗うことができる。
【００２８】
この結果、検便用受け皿１０を便器１から取り外して洗浄する場合にネット便受け皿体１２に付着している便の量を減らすことができると共に検便用受け皿１０の洗浄作業を楽にすることができる。
【００２９】
なお、図４に示されるように、前記検便用受け皿１０は便座３を下ろした後に便器１に取り付けてもよい。
【００３０】
図５には本考案に係る検便用受け皿の第２実施例が示されている。なお、第１実施例の検便用受け皿１０と同一の構成は同一の符号を用いてその説明を省略する。
【００３１】
図５に示されるように、第２実施例の検便用受け皿３０の便受け皿体保持体１８の第１保持体部１８Ａと便受け皿体保持体１８の第１保持体部１８Ａの間には照明体取付部３２が連結状態で設けられている。
【００３２】
この照明体取付部３２には照明体としてのペンライト３４が取り付けられている。このペンライト３４のライト部３６は前記ネット便受け皿体１２と対向して設けられ、ネット便受け皿体１２を照らことができるようになっている。
【００３３】
また、前記ペンライト３４の中間部にはスイッチ３８が設けられて前記ライト部３６をオン、オフできるようになっている。
【００３４】
従って、第２実施例の検便用受け皿３０は前記ネット便受け皿体１２上の便を照らすことができるので、便をより良く観察できる。
特に、視力の弱い人や照明の照度が低いトイレにおいては効果的である。
【００３５】
なお、他の構成、作用、効果は第１実施例の検便用受け皿１０と同一であるので、その説明は省略する。
【産業上の利用可能性】
【００３６】
本考案の検便用受け皿１０は、検便を行うときに便を採取する用具としても使用するができる。
【符号の説明】
【００３７】
１０    検便用受け皿
１２    ネット便受け皿体
１４    ネット
１６    縁取り体
１８    便受け皿体保持体
１８Ａ  第１保持体部
１８Ｂ  第２保持体部
２０    連結部
２２    便器係止部
３０    検便用受け皿
３２    照明取付部
３４    ペンライト
３６    ライト部
３８    スイッチ
【図１】
0003197608.tif 000003
【図２】
0003197608.tif 000004
【図３】
0003197608.tif 000005
【図４】
0003197608.tif 000006
【図５】
0003197608.tif 000007